(57)【要約】【課題】設置場所に関わらず調味料等の取出し及び収納が容易な収納ボックスを提供する。【解決手段】収納ボックス１１は、長方形箱型形状を有し、第１長辺側面１３、第１短辺側面１７及び第２短辺側面１８の各々がほぼ全面開放された本体２８を中心として構成されている。第１長辺側面１３には、その下辺を軸中心として回動自在な開閉扉２０が取付けられている。第１短辺側面１７には、第１短辺側面１７を覆うような形状の第１カバー２３と第１カバー２３の下方部に接続され、本体２８の底面上に摺動自在なトレー３１とからなる引出し機構３２が取付けられている。一方、本体２８の第２短辺側面１８には、第１カバー２３と同一形状の第２カバー２４が着脱自在に取付けられている。これによって引出し機構３２と第２カバー２４とを相互に入れ替えることが可能となり、収納ボックス１１の設置状況に応じた使用が可能となる。【選択図】　　　図４
2004016712.tif 000002
【特許請求の範囲】
【請求項１】
調味料等を収納するための収納ボックスであって、
直方体箱型形状を有し、長手方向の長辺側面の一方となる第１長辺側面の少く共１部及び横手方向の短辺側面の一方となる第１短辺側面の少く共１部が開放された本体と、
前記第１長辺側面を覆うように取付けられた開閉扉と、
前記第１短辺側面を覆うように取付けられた引出し機構とを備えた、収納ボックス。
【請求項２】
前記第１長辺側面はほぼ全面が開放され、
前記開閉扉は、長方形平板形状を有し、その下辺側を軸中心として回動自在に構成される、請求項１記載の収納ボックス。
【請求項３】
前記第１短辺側面はほぼ全面が開放され、
前記引出し機構は、
前記第１短辺側面を覆う形状の第１カバーと、
前記第１カバーの下方部に接続され、前記本体の底面上に摺動自在に配置されたトレーとを含む、請求項１又は請求項２記載の収納ボックス。
【請求項４】
前記本体の前記短辺側面の他方となる第２短辺側面もほぼ全面が開放され、
前記第２短辺側面を着脱自在に覆う、前記第１カバーとほぼ同一形状の第２カバーを更に備え、
前記第１短辺側面には、前記第２カバーを着脱自在に取付けることができる係合手段が設けられる、請求項３記載の収納ボックス。
【請求項５】
前記本体の底面には、設置面に対して固着機能を発揮する少なくとも２つの固着手段が長手方向に配置される、請求項１から請求項４のいずれかに記載の収納ボックス。
【発明の詳細な説明】
【０００１】
【発明の属する技術分野】
この発明は収納ボックスに関し、特に台所のキッチンテーブル等の上に載置して用いられる、調味料等を収納するための収納ボックスに関するものである。
【０００２】
【従来の技術】
台所のキッチンテーブルの周辺には調理時に使用する各種調味料が置かれていることが多い。
【０００３】
しかし、調味料をそのまま置くことは使用勝手としては良いが、調理時のハネやレンジの火力の影響等を受け易く、又汚れやすい。そこで、キッチンテーブルの周辺に配置して、その内部に調味料等を収納しておき必要時に取出す収納ボックスが考えられる。
【０００４】
【発明が解決しようとする課題】
しかしこのような収納ボックスにあっては、キッチンテーブルに配置されているレンジの位置によってその設置スペースが変わってしまう。ところが、設置スペース毎に調味料の取出し方が違うため、設置状況によっては調味料の取出しがし難く使い勝手が悪くなってしまう虞がある。
【０００５】
この発明は上記のような課題を解決するためになされたもので、設置場所に関わらず、調味料等の取出し及び収納が容易な収納ボックスを提供することを目的とする。
【０００６】
【課題を解決するための手段】
上記の目的を達成するために、請求項１記載の発明は、調味料等を収納するための収納ボックスであって、直方体箱型形状を有し、長手方向の長辺側面の一方となる第１長辺側面の少く共１部及び横手方向の短辺側面の一方となる第１短辺側面の少く共１部が開放された本体と、第１長辺側面を覆うように取付けられた開閉扉と、第１短辺側面を覆うように取付けられた引出し機構とを備えたものである。
【０００７】
このように構成すると、開閉扉及び引出し機構のいずれかを操作することで、内部が開放状態となる。
【０００８】
請求項２記載の発明は、請求項１記載の発明の構成において、第１長辺側面はほぼ全面が開放され、開放扉は長方形平板形状を有し、その下辺側を軸中心として回動自在に構成されるものである。
【０００９】
このように構成すると、開閉扉は上方から下方に円弧状に開かれる。
【００１０】
請求項３記載の発明は、請求項１又は請求項２記載の発明の構成において、第１短辺側面はほぼ全面が開放され、引出し機構は、第１短辺側面を覆う形状の第１カバーと、第１カバーの下方部に接続され、本体の底面上に摺動自在に配置されたトレーとを含むものである。
【００１１】
このように構成すると、第１カバーを引出すとトレーが併せて引出される。
【００１２】
請求項４記載の発明は、請求項３記載の発明の構成において、本体の短辺側面となる第２側面もほぼ全面が開放され、第２短辺側面を着脱自在に覆う、第１カバーとほぼ同一形状の第２カバーを更に備え、第１短辺側面には第２カバーを着脱自在に取付けることができる係合手段が設けられたものである。
【００１３】
このように構成すると、引出し機構と第２カバーとの位置を相互に変更することができる。
【００１４】
請求項５記載の発明は、請求項１から請求項４のいずれかに記載の発明の構成において、本体の側面には、設置面に対して固着機能を発揮する少なくとも２つの固着手段が長手方向に配置されるものである。
【００１５】
このように構成すると、引出し機構を本体から引出した状態となっても本体が起き上がる虞はない。
【００１６】
【発明の効果】
以上説明したように、請求項１記載の発明は、開閉扉及び引出し機構のいずれかを操作することで内部が開放状態となるため、収納ボックスの配置に関わらず、調味料等の内部への収納及び内部からの取出しが可能となり使い勝手が良い。
【００１７】
請求項２記載の発明は、請求項１記載の発明の効果に加えて、開閉扉は上方から下方に開かれるため、開いた状態が安定するので、調味料等の収納及び取出しが容易となる。
【００１８】
請求項３記載の発明は、請求項１又は請求項２記載の発明の効果に加えて、第１カバーを引出すとトレーが併せて引出されるため、本体から離れた外方の位置で調味料等の収納及び取出しができるため使い勝手が良い。
【００１９】
請求項４記載の発明は、請求項３記載の発明の効果に加えて、引出し機構と第２カバーとの位置を相互に変換することができるため、収納ボックスの設置場所が制約されることはない。
【００２０】
請求項５記載の発明は、請求項１から請求項４記載のいずれかに記載の発明の効果に加えて、引出し機構を本体から引出した状態となっても本体が起き上がる虞はないため、安定した使用状態が確保される。
【００２１】
【発明の実施の形態】
図１はこの発明の第１の実施の形態による収納ボックスの外観形状を示した斜視図であり、図２は図１で示した収納ボックスを下方から見た斜視図である。
【００２２】
これらの図を参照して、収納ボックス１１は主に鉄板のプレス加工で形成され、直方体箱型形状を有した本体２８を中心として構成されている。本体２８はその長手方向の長辺側面の一方となる第１長辺側面１３のほぼ全面が開放されており、これに後述するように機能する開閉扉２０が取付けられている。
【００２３】
一方、本体２８の横手方向の短辺側面の一方となる第１短辺側面１７はほぼ全面が開放され、これを覆うように第１カバー２３が取付けられている。又、本体２８の短辺側面の他方となる第２短辺側面１８には、第１カバー２３とほぼ同一形状の第２カバー２４が着脱自在に取付けられている。
【００２４】
本体２８の底面１６には、収納ボックス１１をキッチンテーブルの上等に載置するための支持脚２６ａ〜支持脚２６ｄが四隅に取付けられている。又、本体２８の底面１６の長手方向には、設置面に対して固着機能を発揮し得る少なくとも２つの吸盤２７ａ，吸盤２７ｂが長手方向に取付けられている。尚、この吸盤２７ａ，吸盤２７ｂについては後述する。
【００２５】
図３は図１で示した状態から開閉扉２０を開けた状態を示した斜視図である。
【００２６】
図を参照して、開閉扉２０は、本体２８の第１長辺側面１３のほぼ全面に形成された第１開口部３０を塞ぐような大きさの長方形平板形状を有している。そして開閉扉２０の下辺側を軸中心として回動自在となるように構成されている。すなわち、開閉扉２０は上方から下方に円弧状に開くように構成されている。又、開閉扉２０の上辺の中央部には外方に膨出した形状の把持部２１が形成され、開閉扉２０の開閉を容易としている。更に、本体２８の第１開口部３０の上辺部分に取付けられた磁石板２９は、磁性体で構成される開閉扉２０を閉じた時の状態を保持するように機能する。
【００２７】
尚、開閉扉２０の回動中心となる位置は、図１に示されているように開閉扉２０の下辺側の位置であり、この位置は設置面より所定の高さ（１５〜３０ｍｍ）に設定されている。これはキッチンテーブルに組み込まれたガスレンジの近傍に収納ボックス１１を設置した場合、開閉扉２０を開いた状態でのガスレンジの五徳の高さを考慮したものである。これによって、ガスレンジの近くに収納ボックス１１を設置した場合であっても開閉扉２０のスムーズな開き度合が確保される。
【００２８】
尚、図においては、収納ボックス１１内に収納されたトレー３１の上に調味料３３が収納された状態が示されている。このように調味料３３を収納しておくと、開閉扉２０を開閉することによって容易にその取出しや収納が可能となる。
【００２９】
図４は図１に示した状態から引出し機構を構成する第１カバー２３を引出し、更に本体２８から第２カバー２４を取外した状態を示した斜視図である。
【００３０】
図を参照して、引出し機構３２は、本体２８の第１短辺側面１７のほぼ全面に形成された第２開口部３５を覆う形状の第１カバー２３と、第１カバー２３の下方部に接続され、本体２８の底面上に摺動自在に配置されたトレー３１とから構成されている。これによって本体２８から第１カバー２３を引出すと、トレー３１も併せて本体２８から引出されることになる。これによってトレー３１上に収納されている調味料３３は外方に移動するため、その取出し及び収納が容易となる。尚、トレー３１には図示しないストッパーが取付けられ、引出し機構３２を引出した時その移動が所定範囲で停止するように構成されている。
【００３１】
一方、本体２８の第２短辺側面１８には、ほぼ全面を開放状態とする第３開口部３６が形成されている。そして第３開口部３６を構成する第２短辺側面１８の枠体４０には、第２カバー２４の外周部に取付けられた係合片３８が着脱自在に係合できる係合手段が形成されている。この係合手段は、本体２８の第１短辺側面１７において第２開口部３５を構成する枠体３７に形成されている係合穴３９と同一である。
【００３２】
又、第１短辺側面１７の第２開口部３５と第２短辺側面１８の第３開口部３６とは、同一形状を有している。従って、図に示す状態から図示しないストッパーを解除して引出し機構３２を本体２８から完全に引出し、これを本体２８の第２短辺側面１８側に取付け、第２カバー２４を本体２８の第１短辺側面１７側に取付けるように相互に変更することが可能となる。すなわち、引出し機構３２を第１短辺側面１７及び第２短辺側面１８のいずれの側においても取付けることができるので、トレー３１をいずれの方向にも引出すことが可能となる。これによって収納ボックス１１の設置場所の状況に応じて引出し機構３２の引出し方向を選択できるため、使い勝手が向上する。
【００３３】
図５は図２で示した吸盤の固着効果を示すための概略側面図であって、引出し機構を本体から最大に引出した状態を示した図である。
【００３４】
図を参照して、引出された引出し機構３２には、トレー３１上に収納された調味料３３の重量を加えた引出し機構３２全体の重量が、矢印の方向に力Ｆとなって加わる。この力によって本体２８は支持脚２６ａ，支持脚２６ｂを支点として図においては反時計方向周りに起き上がるように力が加わることになる。ところが、本体２８の底面１６にはその長手方向に吸盤２７ａ，吸盤２７ｂが取付けられているため、本体２８はキッチンテーブル４１に対して堅固に吸着されて固定されることになる。
【００３５】
これによって、収納ボックス１１の本体２８の起き上がりが防止され、安定した状態での引出し機構３２の使用が可能となる。尚、吸盤２７ａ，吸盤２７ｂは本体２８の中心位置から長手方向に対して対称に配置されているため、引出し機構３２と第２カバー２４とを入れ替えた状態で引出し機構３２を引出した場合にも、同様の効果を奏するものである。
【００３６】
図６はこの発明の第１の実施の形態による収納ボックスの使用状態を示した概略図である。
【００３７】
図を参照して、収納ボックス１１ａはキッチンテーブル４１に組み込まれたシステムキッチンレンジ４３の左側スペースであって奥側に配置されている。この状態にあっては、図４に示したような状態で引出し機構３２を引出したり、開閉扉２０を開放したりして、調味料等の収納及び取出しを行うことが可能となる。尚、この場合、開閉扉２０の下辺の回動位置は上述したようにキッチンテーブル４１の上面より所定距離離れて位置している。従って、開閉扉２０を開いた時、システムキッチンレンジ４３の五徳上面に被さるように開くことができるため開放度合が小さくならず、調味料等の取出しが容易となる。
【００３８】
一方、収納ボックス１１ｂはシステムキッチンレンジ４３の右側のスペースであって、キッチンテーブル４１の調理用スペースの奥に設置されている。この場合、開閉扉２０の開閉動作は問題がないが、収納ボックス１１ｂの左側には充分なスペースがない。そこで、引出し機構３２を図４で示した状態から反対方向に移動させ、これを右側方向に引出せるように変更している。これによって収納ボックスの設置位置はそのままで引出し機構３２を有効に利用することが可能となる。
【００３９】
尚、上記の実施の形態では、本体の３方の側面を開放状態としているが、２方の側面を開放して、これに開閉扉及び引出し機構を取り付けるようにしても、２方向から調味料等を取り出せるため、有用なものとなる。
【００４０】
又、上記の実施の形態では、本体の側面の解放状態はほぼ全面となっているが、各側面につき少なくとも調味料等を取り出したりすることができる程度の解放状態であれば良い。
【００４１】
更に、上記の実施の形態では、開閉扉は上方から下方に開くように構成されているが、開く方向は他の方向であっても良い。
【００４２】
更に、上記の実施の形態では、第２カバーに形成された鉤状の係合片を本体側に形成された係合穴に係合させて係合手段を構成しているが、他の係合構造を採用しても良い事は言うまでもない。
【００４３】
更に、上記の実施の形態では、本体の底面に取付けた吸盤によって載置面との固着手段を構成しているが、例えば粘着テープ等を用いて本体を載置面に固着するような他の固着手段を採用しても良い。
【００４４】
更に、上記の実施の形態では、引出し機構を構成するトレーは本体の底面上に摺動自在に直接載置されているが、本体に取付けられたレール上を移動するように構成しても良い。
【図面の簡単な説明】
【図１】この発明の第１の実施の形態による収納ボックスの外観形状を示した斜視図である。
【図２】図１で示した収納ボックスを下方から見た斜視図である。
【図３】図１で示した収納ボックスにおいて、開閉扉を開いた状態を示した斜視図である。
【図４】図１で示した収納ボックスにおいて、引出し機構を引出した状態を示した斜視図である。
【図５】図２で示した吸盤の固着効果を示すための概略側面図である。
【図６】この発明の第１の実施の形態による収納ボックスの使用状態を示した概略平面図である。
【符号の説明】
１１…収納ボックス
１３…第１長辺側面
１６…底面
１７…第１短辺側面
１８…第２短辺側面
２０…開閉扉
２３…第１カバー
２４…第２カバー
２７…吸盤
２８…本体
３０…第１開口部
３１…トレー
３２…引出し機構
３５…第２開口部
３６…第３開口部
３８…係合片
３９…係合穴
尚、各図中同一符号は同一又は相当部分を示す。
【図１】
2004016712.tif 000003
【図２】
2004016712.tif 000004
【図３】
2004016712.tif 000005
【図４】
2004016712.tif 000006
【図５】
2004016712.tif 000007
【図６】
2004016712.tif 000008